(57)【要約】【課題】電動負圧ポンプに供給可能な電圧が低下したときに、ブレーキの効きが急激に低下することによる違和感や不安感を運転者に与えることを防止できる、車両用制御装置を提供する。【解決手段】電圧センサ２４による検出電圧が走行禁止閾値ＴＨ２未満である場合、ブレーキブースタ１０の目標負圧範囲が最小オン負圧値ＰＬＯＮおよび最小オフ負圧値ＰＬＯＦＦをそれぞれ下限値および上限値とする範囲に設定される。電圧センサ２４による検出電圧が走行禁止閾値ＴＨ２以上かつ正常閾値ＴＨ１未満である場合には、電圧センサ２４による検出電圧が低いほど、オン閾値およびオフ閾値が小さい値に設定される。また、電圧センサ２４による検出電圧が正常閾値ＴＨ１未満である場合には、電圧センサ２４によって検出される電圧が正常閾値ＴＨ１以上である場合と比較して、車両１の最高速度が小さい値に設定される。【選択図】図１
2014008833.tif 000002
【特許請求の範囲】
【請求項１】
走行用駆動源、ブレーキブースタおよび前記ブレーキブースタに伝達される負圧を発生する電動負圧ポンプを備える車両に用いられる制御装置であって、
前記電動負圧ポンプに供給可能な最大の電圧を検出する電圧検出手段と、
前記電圧検出手段によって検出される電圧に基づいて、前記ブレーキブースタの目標負圧範囲を設定する目標負圧範囲設定手段と、
前記ブレーキブースタの負圧を検出する負圧検出手段と、
前記負圧検出手段によって検出される負圧が前記目標負圧範囲設定手段によって設定される目標負圧範囲内に収まるように、前記電動負圧ポンプを制御するポンプ制御手段と、
前記電圧検出手段によって検出される電圧に基づいて、前記走行用駆動源から出力される走行用駆動力を抑制する駆動力抑制手段とを含み、
前記目標負圧範囲設定手段は、前記電圧検出手段によって検出される電圧が予め定められた正常閾値以上である場合、前記目標負圧範囲を予め定められた最大値を下限値とする範囲に設定し、前記電圧検出手段によって検出される電圧が予め定められた走行禁止閾値未満である場合、前記目標負圧範囲を予め定められた最小値を下限値とする範囲に設定し、前記電圧検出手段によって検出される電圧が前記走行禁止閾値以上かつ前記正常閾値未満である場合、前記電圧検出手段によって検出される電圧が低いほど前記目標負圧範囲の下限値および上限値が連続的または段階的に小さくなるように、前記目標負圧範囲を設定し、
前記駆動力抑制手段は、前記電圧検出手段によって検出される電圧が予め定められた抑制閾値未満である場合、前記走行用駆動源から出力される走行用駆動力を抑制する、車両用制御装置。
【発明の詳細な説明】
【技術分野】
【０００１】
本発明は、電動負圧ポンプを搭載した車両のための制御装置に関する。
【背景技術】
【０００２】
自動車などの車両には、たとえば、油圧式のブレーキ装置が備えられている。運転者によってブレーキペダルが踏まれると、ブレーキペダルに入力された力（踏力）がブレーキブースタの負圧によって増幅（倍力）される。そして、その増幅された力がブレーキブースタからマスタシリンダに伝達される。マスタシリンダでは、ブレーキブースタから入力される力に応じた油圧が発生する。マスタシリンダの油圧が各車輪に設けられたホイールシリンダに伝達され、各ホイールシリンダの油圧により、各ブレーキから車輪に制動力が付与される。
【０００３】
エンジン（ガソリンエンジン）を走行用駆動源とする車両では、ブレーキブースタの負圧として、エンジンの吸気管に発生する負圧が利用される。これに対し、モータを走行用駆動源とする車両、つまり電気自動車では、エンジンが搭載されていないので、エンジンの吸気管に発生する負圧をブレーキブースタの負圧に利用することができない。そのため、電気自動車では、電動負圧ポンプが備えられており、電動負圧ポンプからブレーキブースタに伝達される負圧により、ブレーキペダルからブレーキブースタに入力された力が増幅される。
【０００４】
ブレーキブースタの負圧が利用され、ブレーキブースタの負圧がオン閾値まで低下すると、電動負圧ポンプが駆動される。電動負圧ポンプの駆動により、電動負圧ポンプで負圧が発生する。この負圧がブレーキブースタに伝達されて、ブレーキブースタの負圧がオフ閾値まで上昇すると、電動負圧ポンプの駆動が停止される。
【０００５】
電動負圧ポンプの駆動電圧は、車両に搭載されたバッテリから供給される。このバッテリの充電量の低下などが原因で、電動負圧ポンプに供給される電圧が低下すると、電動負圧ポンプの回転数が低下する。電動負圧ポンプの回転数が低下すると、電動負圧ポンプで発生する負圧が低下するので、ブレーキブースタの負圧が急速には上がらない。その結果、電動負圧ポンプが長時間にわたって連続駆動され、電動負圧ポンプの寿命の低下を招いてしまう。また、最悪の場合には、電動負圧ポンプの連続駆動による故障が発生する。
【０００６】
たとえば、電気自動車において、バッテリの充電量が第１閾値まで低下すると、走行用モータの出力トルクを抑制し、充電量が第２閾値まで低下すると、走行用モータへの電力の供給を停止し、充電量が第３閾値まで低下したときには、車両のすべての補機の駆動を停止することが提案されている。この提案の手法によれば、充電量が第３閾値まで低下したときに、補機である電動負圧ポンプの駆動が停止されるので、電動負圧ポンプの寿命の低下や故障の発生を防止できる。
【先行技術文献】
【特許文献】
【０００７】
【特許文献１】特開２０１１−１７２３４１号公報
【発明の概要】
【発明が解決しようとする課題】
【０００８】
しかしながら、電動負圧ポンプの駆動が停止されると、ブレーキブースタに負圧が供給されないので、ブレーキの効きが急激に低下する。その結果、運転者に違和感や不安感を与えてしまう。さらに、高速走行中にブレーキブースタの負圧が低くなると、制動力の不足により、車両の停止距離が延びてしまうという問題もある。
【０００９】
本発明の目的は、電動負圧ポンプに供給可能な電圧が低下したときに、ブレーキの効きが急激に低下することによる違和感や不安感を運転者に与えることを防止でき、制動力が不足した状態で車両の停止距離が延びることを抑制できる、車両用制御装置を提供することである。
【課題を解決するための手段】
【００１０】
前記の目的を達成するため、本発明に係る車両用制御装置は、走行用駆動源、ブレーキブースタおよび前記ブレーキブースタに伝達される負圧を発生する電動負圧ポンプを備える車両に用いられる。前記車両用制御装置は、前記電動負圧ポンプに供給可能な最大の電圧を検出する電圧検出手段と、前記電圧検出手段によって検出される電圧に基づいて、前記ブレーキブースタの目標負圧範囲を設定する目標負圧範囲設定手段と、前記ブレーキブースタの負圧を検出する負圧検出手段と、前記負圧検出手段によって検出される負圧が前記目標負圧範囲設定手段によって設定される目標負圧範囲内に収まるように、前記電動負圧ポンプを制御するポンプ制御手段と、前記電圧検出手段によって検出される電圧に基づいて、前記走行用駆動源から出力される走行用駆動力を抑制する駆動力抑制手段とを含む。前記目標負圧範囲設定手段は、前記電圧検出手段によって検出される電圧が予め定められた正常閾値以上である場合、前記目標負圧範囲を予め定められた最大値を下限値とする範囲に設定し、前記電圧検出手段によって検出される電圧が予め定められた走行禁止閾値未満である場合、前記目標負圧範囲を予め定められた最小値を下限値とする範囲に設定し、前記電圧検出手段によって検出される電圧が前記走行禁止閾値以上かつ前記正常閾値未満である場合、前記電圧検出手段によって検出される電圧が低いほど前記目標負圧範囲の下限値および上限値が連続的または段階的に小さくなるように、前記目標負圧範囲を設定する。前記駆動力抑制手段は、前記電圧検出手段によって検出される電圧が予め定められた抑制閾値未満である場合、前記走行用駆動源から出力される走行用駆動力を抑制する。
【００１１】
電動負圧ポンプに供給可能な最大の電圧（以下、この項において「供給可能電圧」という。）が予め定められた正常閾値以上である場合、目標負圧範囲が予め定められた最大値を下限値とする範囲に設定される。そして、ブレーキブースタの負圧が目標負圧範囲内に収まるように、電動負圧ポンプの駆動が制御される。これにより、ブレーキブースタの負圧を高く保持することができる。その結果、良好なブレーキ性能を発揮することができる。
【００１２】
一方、供給可能電圧が予め定められた走行禁止閾値未満である場合、目標負圧範囲が予め定められた最小値を下限値とする範囲に設定される。最小値は、たとえば、低速走行中の車両を停止させる際に必要な負圧値に定められる。そして、ブレーキブースタの負圧が目標負圧範囲内に収まるように、電動負圧ポンプの駆動が制御される。
【００１３】
供給可能電圧が走行禁止閾値以上かつ正常閾値未満である場合には、供給可能電圧が正常閾値以上である場合と比較して、目標負圧範囲の下限値および上限値が低減されて、ブレーキブースタの負圧が目標負圧範囲内に収まるように、電動負圧ポンプの駆動が制御される。すなわち、供給可能電圧が正常閾値未満に低下したときに、電動負圧ポンプの駆動が直ちに停止されるのではなく、電動負圧ポンプの駆動が続けられる。これにより、ブレーキの効きが急激に低下することによる違和感や不安感を運転者に与えることを防止できる。
【００１４】
また、目標負圧範囲は、供給可能電圧が低いほど下限値および上限値が連続的または段階的に小さくなるように設定される。これにより、電動負圧ポンプに供給される電圧が低くても、ブレーキブースタの負圧が目標負圧範囲の上限値まで上昇するのに長い時間がかかることを防止できる。その結果、電動負圧ポンプの長時間の連続駆動による寿命の低下および故障の発生を防止することができる。
【００１５】
そして、供給可能電圧が予め定められた抑制閾値未満である場合には、走行用駆動源から出力される走行用駆動力が抑制される。これにより、車両の走行速度（車速）が抑制されるので、ブレーキブースタの負圧が低減されても（制動力が不足した状態となっても）、車両の停止距離が延びることを抑制でき、走行中の車両を安全に停止させることができる。
【００１６】
なお、抑制閾値は、正常閾値と同じ値であってもよいし、正常閾値と異なる値であってもよい。
【発明の効果】
【００１７】
本発明によれば、電動負圧ポンプに供給可能な電圧が低下したときに、ブレーキの効きが急激に低下することによる違和感や不安感を運転者に与えることを防止できながら、走行中の車両を安全に停止させることができる。また、電動負圧ポンプの長時間の連続駆動による寿命の低下および故障の発生を防止することができる。
【図面の簡単な説明】
【００１８】
【図１】図１は、本発明の一実施形態に係る車両用制御装置が備えられた車両の要部の構成を図解的に示す図である。
【図２】図２は、電動負圧ポンプの駆動制御の流れを示すフローチャートである。
【図３】図３は、オン閾値およびオフ閾値の設定例を示すグラフである。
【図４】図４は、車両の最高速度の設定例を示すグラフである。
【図５】図５は、オン閾値およびオフ閾値の他の設定例を示すグラフである。
【発明を実施するための形態】
【００１９】
以下では、本発明の実施の形態について、添付図面を参照しつつ詳細に説明する。
【００２０】
＜車両の構成＞
【００２１】
図１は、本発明の一実施形態に係る車両用制御装置が備えられた車両の要部の構成を図解的に示す図である。
【００２２】
車両１は、電動発電機（モータジェネレータ）２を走行用駆動源とする電気自動車である。車両１には、前輪３ＦＬ，３ＦＲおよび後輪３ＲＬ，３ＲＲが備えられている。
【００２３】
車両１の左右の後輪３ＲＬ，３ＲＲには、それぞれディファレンシャルギヤ４から左右に延びるドライブシャフト５ＲＬ，５ＲＲが連結されている。電動発電機２の出力軸は、変速機などを介して、ディファレンシャルギヤ４に連結されている。
【００２４】
電動発電機２には、インバータ６が接続されている。インバータ６には、電動発電機２に供給される電力を蓄えておくための高圧バッテリ（図示せず）が接続されている。
【００２５】
車両１の加速時には、電動発電機２がモータとして機能する。二次電池が出力する直流電力がインバータ６に供給され、その直流電力がインバータ６で交流電力に変換されて、その変換後の交流電力がインバータ６から電動発電機２に供給される。電動発電機２が発生する走行用駆動力は、変速機およびディファレンシャルギヤ４を介して、ドライブシャフト５ＲＬ，５ＲＲに伝達される。これにより、ドライブシャフト５ＲＬ，５ＲＲが回転し、ドライブシャフト５ＲＬ，５ＲＲとともに、後輪３ＲＬ，３ＲＲが回転する。
【００２６】
車両１の制動時には、電動発電機２が発電機として機能する。ドライブシャフト５ＲＬ，５ＲＲの回転が電動発電機２の出力軸に伝達され、電動発電機２の出力軸の回転が交流電力に回生される。電動発電機２が出力する交流電力は、インバータ６で直流電力に変換され、その変換後の直流電力により、二次電池が充電される。
【００２７】
車両１の制動のために、ブレーキ７ＦＬ，７ＦＲ，７ＲＬ，７ＲＲが設けられている。また、車両１の車室内には、運転者の足で操作されるブレーキペダル８が設けられている。ブレーキペダル８は、マスタシリンダ９と一体的に設けられたブレーキブースタ１０に連結されている。
【００２８】
ブレーキペダル８が踏み込まれると、そのブレーキペダル８に入力された踏力がブレーキブースタ１０に伝達される。ブレーキブースタ１０に伝達された踏力は、ブレーキブースタ１０の負圧によって増幅（倍力）される。ブレーキブースタ１０の負圧は、電動負圧ポンプ１１から伝達される。ブレーキブースタ１０で増幅された踏力は、マスタシリンダ９に入力される。マスタシリンダ９では、ブレーキブースタ１０から入力される力に応じた油圧が発生する。
【００２９】
マスタシリンダ９の油圧は、ＡＢＳアクチュエータ１２などを介して、各ブレーキ７ＦＬ，７ＦＲ，７ＲＬ，７ＲＲに設けられたホイールシリンダに伝達される。そして、ホイールシリンダの液圧により、ブレーキ７ＦＬ，７ＦＲ，７ＲＬ，７ＲＲからそれぞれ前輪３ＦＬ，３ＦＲおよび後輪３ＲＬ，３ＲＲに摩擦制動力が付与される。
【００３０】
電動負圧ポンプ１１には、低圧バッテリ１３から駆動電圧が供給される。低圧バッテリ１３の通常時の出力電圧は、たとえば、１２Ｖである。
【００３１】
車両１には、ＣＰＵおよびメモリを含む構成のＥＣＵ（電子制御ユニット）２１が備えられている。ＥＣＵ２１には、車両１に設けられた各種センサが接続されている。各種センサには、車速を検出する車速センサ２２と、ブレーキブースタ１０の負圧を検出するブレーキ負圧センサ２３と、低圧バッテリ１３から出力される電圧を検出する電圧センサ２４とが含まれる。ＥＣＵ２１は、各種センサから入力される検出信号などに基づいて、電動発電機２および電動負圧ポンプ１１を制御する。
【００３２】
＜電動負圧ポンプの駆動制御＞
【００３３】
図２は、電動負圧ポンプの駆動制御の流れを示すフローチャートである。
【００３４】
車両１のスタートスイッチ（イグニッションキースイッチ）がオンされている間、ＥＣＵ２１により、ブレーキ負圧センサ２３の検出信号が参照されて、ブレーキブースタ１０の負圧が常に監視されている。
【００３５】
そして、ブレーキ負圧センサ２３によって検出される負圧（たとえば、真空を０とする絶対圧）の絶対値がオン閾値以下であるか否かが判断される（ステップＳ１）。
【００３６】
ブレーキ負圧センサ２３によって検出される負圧の絶対値がオン閾値よりも大きい間は（ステップＳ１のＮＯ）、電動負圧ポンプ１１が駆動されずに停止している。
【００３７】
ブレーキペダル８が踏み込まれ、ブレーキブースタ１０の負圧がその踏力の増幅に使われると、ブレーキブースタ１０の負圧が低下する（真空度が下がる）。ブレーキ負圧センサ２３によって検出される負圧の絶対値がオン閾値以下になると（ステップＳ１のＹＥＳ）、電動負圧ポンプ１１が駆動される（ステップＳ２）。
【００３８】
電動負圧ポンプ１１が駆動されると、電動負圧ポンプ１１で発生した負圧がブレーキブースタ１０に伝達され、ブレーキブースタ１０の負圧が上昇する（真空度が上がる）。ブレーキブースタ１０の負圧の絶対値がオフ閾値に達すると（ステップＳ３のＹＥＳ）、電動負圧ポンプ１１の駆動が停止される（ステップＳ４）。
【００３９】
図３は、オン閾値およびオフ閾値の設定例を示すグラフである。
【００４０】
オン閾値およびオフ閾値は、電圧センサ２４によって検出される電圧、つまり低圧バッテリ１３の出力電圧に応じて設定される。低圧バッテリ１３の出力電圧は、電動負圧ポンプ１１に供給可能な最大の電圧である。
【００４１】
電圧センサ２４によって検出される電圧が予め定められた正常閾値ＴＨ１以上である場合、オン閾値およびオフ閾値がそれぞれ最大オン負圧値ＰＨＯＮおよび最大オフ負圧値ＰＨＯＦＦに設定される。言い換えれば、電圧センサ２４によって検出される電圧が予め定められた正常閾値ＴＨ１以上である場合、ブレーキブースタ１０の目標負圧範囲が最大オン負圧値ＰＨＯＮおよび最大オフ負圧値ＰＨＯＦＦをそれぞれ下限値および上限値とする範囲に設定される。
【００４２】
一方、電圧センサ２４によって検出される電圧が予め定められた走行禁止閾値ＴＨ２未満である場合、オン閾値およびオフ閾値がそれぞれ最小オン負圧値ＰＬＯＮおよび最小オフ負圧値ＰＬＯＦＦに設定される。言い換えれば、電圧センサ２４によって検出される電圧が予め定められた走行禁止閾値ＴＨ２未満である場合、ブレーキブースタ１０の目標負圧範囲が最小オン負圧値ＰＬＯＮおよび最小オフ負圧値ＰＬＯＦＦをそれぞれ下限値および上限値とする範囲に設定される。
【００４３】
電圧センサ２４によって検出される電圧が走行禁止閾値ＴＨ２以上かつ正常閾値ＴＨ１未満である場合には、電圧センサ２４によって検出される電圧が低いほど、オン閾値およびオフ閾値がその電圧に比例して小さい値に設定される。
【００４４】
図４は、車両の最高速度の設定例を示すグラフである。
【００４５】
車両１の最高速度は、電圧センサ２４によって検出される電圧、つまり低圧バッテリ１３の出力電圧に応じて設定される。
【００４６】
電圧センサ２４によって検出される電圧が予め定められた正常閾値ＴＨ１以上である場合、車両１の最高速度が一定の正常制限値Ｖ１に設定される。そして、車速センサ２２によって検出される車速が正常制限値Ｖ１まで上昇すると、それ以上に車速が上昇しないように、電動発電機２が発生する走行用駆動力が抑制される。
【００４７】
一方、電圧センサ２４によって検出される電圧が予め定められた走行禁止閾値ＴＨ２未満である場合、車両１の最高速度が一定の走行禁止制限値Ｖ２に設定される。そして、車速センサ２２によって検出される車速が走行禁止制限値Ｖ２まで上昇すると、それ以上に車速が上昇しないように、電動発電機２が発生する走行用駆動力が抑制される。走行禁止制限値Ｖ２は、たとえば、走行車線を走行中の車両１を走行車線の側方の路肩に寄せるのに必要なごく低速（小さい値）に定められている。
【００４８】
電圧センサ２４によって検出される電圧が走行禁止閾値ＴＨ２以上かつ正常閾値ＴＨ１未満である場合には、電圧センサ２４によって検出される電圧が低いほど、車両１の最高速度がその電圧に比例して小さい値に設定される。そして、車速センサ２２によって検出される車速が電圧センサ２４によって検出される電圧に応じた最高速度まで上昇すると、それ以上に車速が上昇しないように、電動発電機２が発生する走行用駆動力が抑制される。
【００４９】
＜作用効果＞
【００５０】
電圧センサ２４によって検出される電圧が予め定められた正常閾値ＴＨ１以上である場合、ブレーキブースタ１０の目標負圧範囲が最大オン負圧値ＰＨＯＮおよび最大オフ負圧値ＰＨＯＦＦをそれぞれ下限値および上限値とする範囲に設定される。そして、ブレーキ負圧センサ２３によって検出される負圧の絶対値がその目標負圧範囲内に収まるように、電動負圧ポンプ１１の駆動が制御される。これにより、ブレーキブースタ１０の負圧を高く保持することができる。その結果、良好なブレーキ性能を発揮することができる。
【００５１】
一方、電圧センサ２４によって検出される電圧が予め定められた走行禁止閾値ＴＨ２未満である場合、ブレーキブースタ１０の目標負圧範囲が最小オン負圧値ＰＬＯＮおよび最小オフ負圧値ＰＬＯＦＦをそれぞれ下限値および上限値とする範囲に設定される。そして、ブレーキ負圧センサ２３によって検出される負圧の絶対値がその目標負圧範囲内に収まるように、電動負圧ポンプ１１の駆動が制御される。
【００５２】
電圧センサ２４によって検出される電圧が走行禁止閾値ＴＨ２以上かつ正常閾値ＴＨ１未満である場合には、電圧センサ２４によって検出される電圧が正常閾値ＴＨ１以上である場合と比較して、ブレーキブースタ１０の目標負圧範囲の下限値および上限値が低減されて、ブレーキブースタ１０の負圧が目標負圧範囲内に収まるように、電動負圧ポンプ１１の駆動が制御される。すなわち、電圧センサ２４によって検出される電圧が正常閾値ＴＨ１未満に低下したときに、電動負圧ポンプ１１の駆動が直ちに停止されるのではなく、電動負圧ポンプ１１の駆動が続けられる。これにより、ブレーキの効きが急激に低下することによる違和感や不安感を運転者に与えることを防止できる。
【００５３】
また、電圧センサ２４によって検出される電圧が走行禁止閾値ＴＨ２以上かつ正常閾値ＴＨ１未満である場合には、電圧センサ２４によって検出される電圧が低いほど、オン閾値およびオフ閾値がその電圧に比例して小さい値に設定される。これにより、電動負圧ポンプ１１に供給される電圧が低くても、ブレーキブースタ１０の負圧がオフ閾値まで上昇するのに長い時間がかかることを防止できる。その結果、電動負圧ポンプ１１の長時間の連続駆動による寿命の低下および故障の発生を防止することができる。
【００５４】
そして、電圧センサ２４によって検出される電圧が正常閾値ＴＨ１未満である場合には、電圧センサ２４によって検出される電圧が正常閾値ＴＨ１以上である場合と比較して、車両１の最高速度が小さい値に設定され、電動発電機２が発生する走行用駆動力が抑制される。これにより、車両１の走行速度（車速）が抑制されるので、ブレーキブースタ１０の負圧が低減されても、走行中の車両１を安全に停止させることができる。
【００５５】
また、車両１では、電圧センサ２４によって検出される電圧が走行禁止閾値ＴＨ２以上かつ正常閾値ＴＨ１未満である場合には、電圧センサ２４によって検出される電圧が低いほど、電動負圧ポンプ１１の駆動およびその停止のためのオン閾値およびオフ閾値がその電圧に比例して小さい値に設定されるとともに、車両１の最高速度が正常制限値Ｖ１と走行禁止制限値Ｖ２との間の範囲でその電圧に比例して小さい値に設定される。これにより、車両１の最高速度をブレーキブースタ１０の負圧に応じた速度に設定することができ、走行中の車両１を安全に停止させることができる。
【００５６】
＜変形例＞
【００５７】
以上、本発明の一実施形態について説明したが、本発明は、他の形態で実施することもできる。
【００５８】
たとえば、電圧センサ２４によって検出される電圧が走行禁止閾値ＴＨ２以上かつ正常閾値ＴＨ１未満である場合には、電圧センサ２４によって検出される電圧が低いほど、電動負圧ポンプ１１の駆動およびその停止のためのオン閾値およびオフ閾値がその電圧に比例して小さい値に設定されるとした。これに限らず、図５に示されるように、走行禁止閾値ＴＨ２以上かつ正常閾値ＴＨ１未満の範囲が複数の範囲に分割されて、オン閾値およびオフ閾値は、車速センサ２２によって検出される車速が低いほど段階的に小さい値となるように、各分割範囲に対して一定値に設定されてもよい。
【００５９】
また、電動発電機２の走行用駆動力が後輪３ＲＬ，３ＲＲに伝達される構成、つまり後輪３ＲＬ，３ＲＲを駆動輪とする後輪駆動車の構成を取り上げたが、車両１は、前輪３ＦＬ，３ＦＲを駆動輪とする前輪駆動車であってもよい。
【００６０】
また、車両１が電気自動車である場合を取り上げたが、本発明に係るブレーキシステムは、電気自動車に限らず、電動負圧ポンプを備える車両であれば、たとえば、エンジンおよびモータまたは電動発電機を走行用駆動源として搭載するハイブリッドカーに搭載することもできる。
【００６１】
その他、前述の構成には、特許請求の範囲に記載された事項の範囲で種々の設計変更を施すことが可能である。
【符号の説明】
【００６２】
１    車両
２    電動発電機（走行用駆動源）
１０  ブレーキブースタ
１１  電動負圧ポンプ
２１  ＥＣＵ（目標負圧範囲設定手段、ポンプ制御手段、駆動力抑制手段）
２３  ブレーキ負圧センサ（負圧検出手段）
２４  電圧センサ（電圧検出手段）
【図１】
2014008833.tif 000003
【図２】
2014008833.tif 000004
【図３】
2014008833.tif 000005
【図４】
2014008833.tif 000006
【図５】
2014008833.tif 000007